(57)【要約】      （修正有）【課題】浴槽の内壁面が凹状に湾曲している場合にも、直線状の光源部を用いることが可能で製造コストを抑えた浴槽用照明装置を提供する。【解決手段】浴槽用照明装置１０は、左右方向に直線状に延び、浴槽の内方に向けて横長状の光を照射するように配置される光源部１２と、光源部の前方に設けられた導光板１４と、を備える。導光板は、光源部と対向し、光源部から照射された光を入射させる光入射面１４ａと、光入射面の反対側に設けられ、浴槽の内壁面１０４及び背もたれ面１０６に対応して光入射面側に向かって凹状に湾曲し、光入射面から入射した光を浴槽の内方に向けて出射させる光出射面１４ｂと、を有する。【選択図】図３
2018163790.tif 000002
【特許請求の範囲】
【請求項１】
凹状に湾曲した内壁面を有する浴槽の前記内壁面側の上部に設けられる浴槽用照明装置であって、
左右方向に直線状に延び、前記浴槽の内方に向けて横長状の光を照射するように配置される光源部と、
前記光源部の前方に設けられた導光板と、
を備え、
前記導光板は、
前記光源部と対向し、前記光源部から照射された光を入射させる光入射面と、
前記光入射面の反対側に設けられ、前記内壁面に対応して前記光入射面側に向かって凹状に湾曲し、前記光入射面から入射した光を前記浴槽の内方に向けて出射させる光出射面と、
を有することを特徴とする浴槽用照明装置。
【請求項２】
前記光入射面の左右方向の中央部と前記光源部との間の前後方向の距離は、前記光入射面の左右方向の両側部と前記光源部との間の前後方向の距離よりも長いことを特徴とする請求項１記載の浴槽用照明装置。
【請求項３】
前記光入射面は、前記光出射面側に向かって凹状に湾曲していることを特徴とする請求項２記載の浴槽用照明装置。
【請求項４】
前記導光板の左右方向の幅は、前方に向かって広がっており、
前記光入射面の左右方向の幅は、前記光出射面の左右方向の幅よりも狭く、
前記光源部の左右方向の幅は、前記光出射面の左右方向の幅よりも狭いことを特徴とする請求項１〜３のいずれか１つに記載の浴槽用照明装置。
【請求項５】
前記浴槽の内方に向けて湯水を吐水する吐水部をさらに備え、
前記導光板は、前記吐水部の上方に配置されていることを特徴とする請求項１〜４のいずれか１つに記載の浴槽用照明装置。
【発明の詳細な説明】
【技術分野】
【０００１】
本発明の態様は、一般的に、浴槽用照明装置に関する。
【背景技術】
【０００２】
浴槽に取り付けて使用される浴槽用照明装置（以下、「照明装置」と称す）が知られている（例えば、特許文献１）。照明装置は、浴槽の上端（リム）に設けられ、浴槽の内方に向けて光を照射する。これにより、浴槽の外観の向上を図ることができる。
【０００３】
照明装置は、浴槽内壁の上端の縁と平行となるように左右方向（水平方向）に延びた横長状の光を照射する。浴槽内壁の上端の縁が直線状である場合には、照明装置の光源部も直線状であればよい。この場合には、例えば、ＬＥＤ（Light Emitting Diode）などの複数の発光素子を基板に直線状に並べた光源部（いわゆるライン照明）を用いることで、横長状の照明光の左右方向における照度のムラを抑制し、良好な外観の照明を行うことができる。
【０００４】
一方、浴槽においては、入浴感を向上させるために、浴槽の背もたれ面（内壁面）を凹状に湾曲させることが行われている。この場合、背もたれ面の上端の縁も凹状に湾曲するため、照明装置の前端部（光を照射する部分）も凹状に湾曲させる必要が生じる。例えば、複数の発光素子を曲線状に配置することにより、前端部に沿って凹状に湾曲した光源部を用意することも考えられる。しかしながら、この場合には、背もたれ面の形状やサイズなどが異なる浴槽の種類毎に光源部を製造しなければならず、照明装置の製造コストの増加を招いてしまう。
【０００５】
このため、浴槽用照明装置においては、浴槽の内壁面が凹状に湾曲している場合にも、製造コストを抑えることが望まれる。
【先行技術文献】
【特許文献】
【０００６】
【特許文献１】特開２０１６−８４２８号公報
【発明の概要】
【発明が解決しようとする課題】
【０００７】
本発明は、かかる課題の認識に基づいてなされたものであり、浴槽の内壁面が凹状に湾曲している場合にも、製造コストを抑えた浴槽用照明装置を提供することを目的とする。
【課題を解決するための手段】
【０００８】
第１の発明は、凹状に湾曲した内壁面を有する浴槽の前記内壁面側の上部に設けられる浴槽用照明装置であって、左右方向に直線状に延び、前記浴槽の内方に向けて横長状の光を照射するように配置される光源部と、前記光源部の前方に設けられた導光板と、を備え、前記導光板は、前記光源部と対向し、前記光源部から照射された光を入射させる光入射面と、前記光入射面の反対側に設けられ、前記内壁面に対応して前記光入射面側に向かって凹状に湾曲し、前記光入射面から入射した光を前記浴槽の内方に向けて出射させる光出射面と、を有することを特徴とする浴槽用照明装置である。
【０００９】
この浴槽用照明装置によれば、複数種類の浴槽に対して直線状の光源部を共通に用いることが可能となり、製造コストを抑えることができる。そして、光源部の前方に導光板を設け、導光板の光出射面を凹状に湾曲させることにより、導光板の形状を変えるだけで複数種類の浴槽に対応することができ、複数種類の浴槽に対して光源部を共通に用いることができる。従って、浴槽の種類毎に光源部を製造する場合と比べて、照明装置の製造コストの増加を抑えることができる。
【００１０】
第２の発明は、第１の発明において、前記光入射面の左右方向の中央部と前記光源部との間の前後方向の距離は、前記光入射面の左右方向の両側部と前記光源部との間の前後方向の距離よりも長いことを特徴とする浴槽用照明装置である。
【００１１】
この浴槽用照明装置によれば、光入射面の左右方向の中央部と光源部との間の前後方向の距離が、光入射面の左右方向の両側部と光源部との間の前後方向の距離よりも長いため、光入射面の左右方向の中央部に入射する光の量が、光入射面の左右方向の両側部に入射する光の量よりも少なくなる。これにより、光入射面の中央部と光源部との間の距離が、光入射面の両側部と光源部との間の距離と同じである場合と比べて、光源部からの距離が短い光出射面の左右方向の中央部から出射される光の量を少なくすることができる。これにより、光出射面の左右方向における照度のムラを抑制し、横長状の照明光の左右方向における照度の均一性を向上させることができる。従って、浴槽の内壁面が凹状に湾曲している場合にも、製造コストを抑えつつ、横長状の照明光の左右方向における照度の均一性を向上させることができる。
【００１２】
第３の発明は、第２の発明において、前記光入射面は、前記光出射面側に向かって凹状に湾曲していることを特徴とする浴槽用照明装置である。
【００１３】
この浴槽用照明装置によれば、光入射面から入射する光の量が左右方向において連続的に変化するとともに、湾曲した光入射面における光の屈折により、両側部に光をより供給し易くすることができる。従って、光出射面の左右方向における照度のムラをより抑制することができる。
【００１４】
第４の発明は、第１〜第３のいずれか１つの発明において、前記導光板の左右方向の幅は、前方に向かって広がっており、前記光入射面の左右方向の幅は、前記光出射面の左右方向の幅よりも狭く、前記光源部の左右方向の幅は、前記光出射面の左右方向の幅よりも狭いことを特徴とする浴槽用照明装置である。
【００１５】
この浴槽用照明装置によれば、光源部を小型にすることができ、浴槽の後方側のスペースが狭い場合などにも、適切に光源部を配置することができる。また、光出射面の左右方向の幅を調整することで、より多くの種類の浴槽に対して直線状の光源部を共通に用いることができる。このように、光源部をより小型にできるとともに、光源部を適用可能な浴槽の種類を増やすことができ、製造コストをより抑えることができる。
【００１６】
第５の発明は、第１〜第４のいずれか１つの発明において、前記浴槽の内方に向けて湯水を吐水する吐水部をさらに備え、前記導光板は、前記吐水部の上方に配置されていることを特徴とする浴槽用照明装置である。
【００１７】
この浴槽用照明装置によれば、内壁面に背中を当接させた入浴者の首や肩に湯水を吐水することができ、入浴時のリラクゼーション効果をより高めることができる。また、吐水部の上方において光を出射することで、空間演出効果をより向上させることができる。
【発明の効果】
【００１８】
本発明の態様によれば、浴槽の内壁面が凹状に湾曲している場合にも、製造コストを抑えた浴槽用照明装置が提供される。
【図面の簡単な説明】
【００１９】
【図１】実施形態に係る浴槽及び浴槽用照明装置を模式的に表す斜視図である。
【図２】実施形態に係る浴槽及び浴槽用照明装置を模式的に表す平面図である。
【図３】実施形態に係る浴槽用照明装置を模式的に表す分解斜視図である。
【図４】実施形態に係る浴槽用照明装置を模式的に表す断面図である。
【図５】実施形態に係る浴槽用照明装置の光源部を模式的に表す分解斜視図である。
【図６】実施形態に係る浴槽及び浴槽用照明装置を模式的に表すブロック図である。
【図７】実施形態に係る浴槽用照明装置を模式的に表す平面図である。
【図８】実施形態に係る浴槽用照明装置の変形例を模式的に表す平面図である。
【図９】実施形態に係る浴槽用照明装置の変形例を模式的に表す平面図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴槽及び浴槽用照明装置を模式的に表す斜視図である。  
図２は、実施形態に係る浴槽及び浴槽用照明装置を模式的に表す平面図である。  
図１及び図２に表したように、浴槽用照明装置１０（以下、照明装置１０と称す）は、浴槽１００に取り付けて使用される。
【００２１】
浴槽１００は、浴槽本体１０２を備える。浴槽本体１０２は、内壁面１０４を有する。内壁面１０４は、入浴者の背中を支持する背もたれ面１０６を有する。背もたれ面１０６は、凹状に湾曲している。従って、背もたれ面１０６に連なる上端１０６ａも、同様に、凹状に湾曲している。照明装置１０は、浴槽本体１０２の背もたれ面１０６側の上部に設けられる。
【００２２】
ここで、本願明細書においては、背もたれ面１０６に背中を当接させた入浴者からみて上方を「上方」とし、下方を「下方」とし、前方を「前方」とし、後方を「後方」とし、右側を「右側方」とし、左側を「左側方」とする。
【００２３】
浴槽本体１０２は、背もたれ面１０６に設けられた一対の噴射口１０８を有する。各噴射口１０８は、背もたれ面１０６に背中を当接させた入浴者の腰などに向けて湯水を噴射する。各噴射口１０８は、例えば、入浴者の抗重力筋である脊柱起立筋の位置を狙って湯水を噴射する。これにより、入浴者の腰などに刺激を与え、入浴時のリラクゼーション効果をより高めることができる。この例において、浴槽本体１０２は、左右に並ぶ２つの噴射口１０８を有する。噴射口１０８の数は、２つに限ることなく、１つでもよいし、３つ以上でもよい。
【００２４】
図３は、実施形態に係る浴槽用照明装置を模式的に表す分解斜視図である。  
図４は、実施形態に係る浴槽用照明装置を模式的に表す断面図である。  
図４は、図２のＡ１−Ａ２線断面を模式的に模式的に表す。  
図３及び図４に表したように、照明装置１０は、光源部１２と、導光板１４と、吐水部１６と、カバー１８と、を備える。
【００２５】
光源部１２は、左右方向に直線状に延び、浴槽本体１０２の内方に向けて横長状の光を照射するように配置される。すなわち、光源部１２は、前方に向けて横長状の光を照射する。これにより、浴槽１００の外観を向上させることができる。
【００２６】
導光板１４は、光源部１２の前方に設けられている。導光板１４は、光入射面１４ａと、光出射面１４ｂと、を有する。光入射面１４ａは、光源部１２と対向し、光源部１２から照射された光を内部に入射させる。換言すれば、光入射面１４ａは、光源部１２から照射された光を内部に取り込む。光出射面１４ｂは、光入射面１４ａの反対側に設けられている。光出射面１４ｂは、背もたれ面１０６に対応して光入射面１４ａ側に向かって凹状に湾曲している。光出射面１４ｂは、光入射面１４ａから入射した光を浴槽本体１０２の内方に向けて出射させる。このように、導光板１４は、光源部１２から照射された光を内部に取り込み、取り込んだ光を浴槽本体１０２の内方側に導く。
【００２７】
吐水部１６は、浴槽本体１０２の内方に向けて湯水を吐水する。すなわち、吐水部１６は、前方に向けて湯水を吐水する。吐水部１６は、例えば、背もたれ面１０６に背中を当接させた入浴者の首や肩に向けて湯水を吐水する。これにより、例えば、入浴者の首や肩をより温めたり、入浴者の首や肩にマッサージ効果を付与したりすることができ、入浴時のリラクゼーション効果をより高めることができる。
【００２８】
吐水部１６は、浴槽本体１０２の背もたれ面１０６側の上部に取り付けられる。光源部１２及び導光板１４は、吐水部１６の上方に配置されている。これにより、浴槽１００の外観をより向上させることができる。
【００２９】
カバー１８は、光源部１２、導光板１４、及び吐水部１６の上に設けられる。カバー１８は、例えば、吐水部１６の上に取り付けられ、光源部１２及び導光板１４の上方、両側方、及び後方を覆う。カバー１８は、導光板１４の光出射面１４ｂのみを外部に露出させる。これにより、カバー１８は、光源部１２から出射された光が、光出射面１４ｂ以外の部分から外部に漏れ出ることを抑制する。これにより、浴槽１００の外観をさらに向上させることができる。
【００３０】
上記とは反対に、光源部１２及び導光板１４の上に吐水部１６を設けてもよい。この場合、カバー１８は、省略してもよい。また、照明装置１０は、必ずしも吐水部１６を有してなくてもよい。導光板１４は、光出射面１４ｂから出射した光により、浴槽本体１０２の内部の空間や浴槽本体１０２に溜められた湯水（水面）などを照らすものでもよい。このように、吐水部１６及びカバー１８は、必要に応じて設けられ、省略可能である。
【００３１】
吐水部１６は、左右方向に延びたスリット状の吐水口１６ａを有する。これにより、吐水部１６は、左右方向に延びた帯状の水流を吐水口１６ａから吐水する。吐水口１６ａの左右方向の長さは、例えば、２０ｃｍ以上である。吐水口１６ａの左右方向の長さは、例えば、人間の首の平均的な幅よりも長い。これにより、背もたれ面１０６に背中を当接させた入浴者の首や肩に適切に湯水を当てることができる。また、吐水口１６ａの左右方向の長さは、例えば、浴槽本体１０２の内部の空間の左右方向の幅よりも短い。これにより、浴槽本体１０２内に適切に湯水を吐水することができる。
【００３２】
吐水部１６は、下側ケース２０と、上側ケース２２と、を有する。下側ケース２０は、板状のケース本体２０ａと、ケース本体２０ａから下方に向かって延びる配管部２０ｂと、を有する。配管部２０ｂは、円筒状である。配管部２０ｂは、ケース本体２０ａを上下に貫通し、ケース本体２０ａの下方側と上方側とを連通させる。
【００３３】
下側ケース２０は、浴槽本体１０２の背もたれ面１０６側の上部に取り付けられる。配管部２０ｂは、浴槽本体１０２の背もたれ面１０６側の上部に設けられた貫通孔１０６ｂに挿通され、浴槽本体１０２の背もたれ面１０６側の上部の下方の空間に連通する。配管部２０ｂの外周面には、雄ネジが形成されている。配管部２０ｂには、下方から円筒状のフランジ２４が挿通される。フランジ２４の内周面には、配管部２０ｂの雄ネジに対応する雌ネジが設けられている。フランジ２４は、内周面に設けられた雌ネジを配管部２０ｂの雄ネジに螺合させ、下側ケース２０のケース本体２０ａとともに浴槽本体１０２の一部を挟み込む。これにより、吐水部１６が、浴槽本体１０２の背もたれ面１０６側の上部に取り付けられる。
【００３４】
上側ケース２２は、下側ケース２０の上に取り付けられ、下側ケース２０とともに吐水口１６ａを形成するとともに、配管部２０ｂから吐水口１６ａへと到る内部流路１６ｂを形成する。これにより、配管部２０ｂから湯水を供給することにより、吐水口１６ａから湯水が吐水される。
【００３５】
図５は、実施形態に係る浴槽用照明装置の光源部を模式的に表す分解斜視図である。  
図４及び図５に表したように、光源部１２は、基板４０と、発光素子４２と、放熱板４４と、収納ケース４６と、を有する。基板４０は、左右方向に延びている。基板４０は、例えば、矩形状である。基板４０の形状は、任意の形状でよい。この例では、光源部１２が、１枚の基板４０を有している。例えば、光源部１２は、配線などを介して電気的に接続された複数枚の基板４０を有してもよい。
【００３６】
発光素子４２は、電力の供給に応じて光を照射する光源である。光源部１２は、左右方向に並べて設けられた複数の発光素子４２を有する。各発光素子４２は、基板４０の表面４０ａに並べて設けられている。これにより、光源部１２は、左右方向に延びた直線状の発光面ＬＳを形成する。この例において、発光面ＬＳは、換言すれば、基板４０の表面４０ａである。この例において、発光面ＬＳは、平面状である。これにより、光源部１２は、浴槽本体１０２の内方に向けて横長状の光を照射することができる。
【００３７】
複数の発光素子４２は、例えば、複数の第１発光素子４２ａと、複数の第２発光素子４２ｂと、を有する。各第１発光素子４２ａは、基板４０の表面４０ａに左右方向に並べて設けられる。各第２発光素子４２ｂは、基板４０の表面４０ａに左右方向に並べて設けられるとともに、上下方向において各第１発光素子４２ａと並ぶ。すなわち、この例では、左右方向に並ぶ複数の発光素子４２の列が、上下に２列設けられている。
【００３８】
各第１発光素子４２ａの照射する光は、例えば、黄色光（電球色）である。各第２発光素子４２ｂの照射する光は、例えば、白色光（昼白色）である。光源部１２は、各第１発光素子４２ａを点灯させ、各第２発光素子４２ｂを消灯させることにより、黄色光を照射する。光源部１２は、各第１発光素子４２ａを消灯させ、各第２発光素子４２ｂを点灯させることにより、白色光を照射する。そして、光源部１２は、各第１発光素子４２ａ及び各第２発光素子４２ｂを点灯させるとともに、各第１発光素子４２ａ及び各第２発光素子４２ｂのそれぞれの発光強度を調整することにより、黄色光と白色光との間の色の光を照射する。
【００３９】
各発光素子４２には、例えば、ＬＥＤ（Light Emitting Diode）、ＬＤ（Laser Diode）、又はＯＬＥＤ（Organic Light Emitting Diode）などが用いられる。各発光素子４２の種類は、上記に限ることなく、任意の素子でよい。各発光素子４２の数や列などの構成は、上記に限ることなく、横長状の光を照射可能な任意の構成でよい。
【００４０】
例えば、光源部１２の光源として有機ＥＬ（Electro-Luminescence）素子などの面発光型の素子を用いる場合には、光源は、１つでもよい。また、光源部１２の光源は、例えば、蛍光灯や光ファイバなどを用いたものでもよい。光源部１２の光源は、横長状の光を照射可能な任意の光源でよい。例えば、直管型の蛍光灯を光源部１２の光源とする場合には、蛍光灯の外表面を直線状の発光面ＬＳとすればよい。この場合、発光面ＬＳは、曲面状（円柱面状）である。このように、光源部１２の直線状の発光面ＬＳは、平面状に限ることなく、左右方向に直線状に延びる曲面状（円柱面状）などでもよい。光源部１２の構成は、横長状の光を照射可能な任意の構成でよい。
【００４１】
放熱板４４は、基板４０を支持する。放熱板４４は、基板４０及び各発光素子４２と熱的に結合し、各発光素子４２の点灯にともなって発生する熱を放熱する。放熱板４４には、例えば、アルミニウムや銅などの熱伝導率の高い金属材料などが用いられる。例えば、光源に蛍光灯などを用いる場合には、放熱板４４は、省略可能である。このように、放熱板４４は、必要に応じて設けられ、省略可能である。
【００４２】
収納ケース４６は、中空状であり、内部の空間に基板４０、各発光素子４２、及び放熱板４４を収納する。収納ケース４６は、例えば、内部の空間を密閉することにより、基板４０及び各発光素子４２の被水を抑制する。
【００４３】
収納ケース４６は、各発光素子４２から照射された光を透過させる光透過窓４６ａを有する。光透過窓４６ａは、収納ケース４６の前端部分に発光面ＬＳの少なくとも一部と対向するように設けられている。光透過窓４６ａは、例えば、各発光素子４２から照射された光に対して光透過性を有する板状の部材である。光透過窓４６ａには、例えば、透明な樹脂材料などが用いられる。これにより、収納ケース４６の内部の空間を密閉しつつ、収納ケース４６の内部に設けられた各発光素子４２から照射された光を収納ケース４６の外部に出射させることができる。収納ケース４６の光透過窓４６ａ以外の部分は、各発光素子４２から照射された光に対して光反射性でもよいし、光透過性でもよい。
【００４４】
放熱板４４は、収納ケース４６の内底面に取り付けられる第１板部４４ａと、第１板部４４ａの後端から上方に向かって延び、基板４０を支持する第２板部４４ｂと、を有する。第２板部４４ｂの上端は、前方側に傾斜している。第２板部４４ｂは、基板４０の上端を前方側に傾斜させた状態で、基板４０を支持する。これにより、例えば、複数の発光素子４２を２列に並べて設けた場合などにも、光源部１２の厚さ（上下方向の長さ）を抑えることができる。例えば、光源部１２から照射される光の強さ（明るさ）を高めつつ、光源部１２の厚さを抑えることができる。
【００４５】
第１板部４４ａは、基板４０の表面４０ａと直交する方向において、基板４０の表面４０ａと対向する。換言すれば、第１板部４４ａは、発光面ＬＳと対向する。前述のように、放熱板４４には、金属材料が用いられる。放熱板４４は、各発光素子４２から照射された光に対して光反射性である。第１板部４４ａは、各発光素子４２から斜め下方に向けて照射された光を反射させ、前方に向かわせる。これにより、基板４０を傾斜させて配置した場合にも、各発光素子４２から照射された光を適切に前方に向かわせることができる。
【００４６】
放熱板４４及び収納ケース４６は、光源部１２に必要に応じて設けられ、省略可能である。光源部１２は、少なくとも基板４０と複数の発光素子４２とを有していればよい。光源部１２は、少なくとも横長状の光を照射可能な光源を有していればよい。
【００４７】
図６は、実施形態に係る浴槽及び浴槽用照明装置を模式的に表すブロック図である。  
図６に表したように、電動ポンプ１１０と、切替弁１１２と、ジェットポンプユニット１１４と、制御部１１６と、操作部１１８と、をさらに備える。また、浴槽本体１０２は、浴槽本体１０２内に溜められた湯水を吸い込むための吸込み口１２０を有する。
【００４８】
電動ポンプ１１０は、配管１２２を介して吸込み口１２０と接続されている。電動ポンプ１１０は、吸込み口１２０から浴槽本体１０２内の湯水を吸引し、下流側に供給する。電動ポンプ１１０は、例えば、吸引した湯水に圧力をかけて圧送する機能を有する。電動ポンプ１１０は、例えば、電気的に駆動される電動モータ（図示せず）に直結されたインペラ（図示せず）の回転により、浴槽本体１０２内の湯水を吸引し、吸引した湯水を下流側に圧送する。
【００４９】
切替弁１１２は、配管１２４を介して電動ポンプ１１０に接続されている。切替弁１１２は、電動ポンプ１１０から供給された湯水を照明装置１０の吐水部１６側に送る経路と、各噴射口１０８側に送る経路と、に切り替える。
【００５０】
各噴射口１０８は、配管１２６を介して切替弁１１２と接続されている。配管１２６は、例えば、途中で二股に分岐し、各噴射口１０８のそれぞれと接続される。これにより、浴槽１００では、電動ポンプ１１０を駆動し、切替弁１１２を各噴射口１０８側に切り替えることにより、各噴射口１０８から湯水が噴射される。
【００５１】
ジェットポンプユニット１１４は、照明装置１０の吐水部１６と切替弁１１２との間の経路上に設けられる。ジェットポンプユニット１１４は、例えば、吐水部１６の直下に設けられる。
【００５２】
ジェットポンプユニット１１４は、貯水部１３０と、ノズル部１３２と、を有する。貯水部１３０は、容器状であり、内部の空間に湯水を貯水可能とする。貯水部１３０は、配管１３４を介して吸込み口１２０と接続されている。これにより、貯水部１３０には、吸込み口１２０を介して浴槽本体１０２から湯水が供給される。すなわち、浴槽本体１０２に湯水を溜めることにより、貯水部１３０にも湯水が溜められる。貯水部１３０は、吸込み口１２０及び配管１３４を介して浴槽本体１０２から供給された湯水を内部に貯水する。貯水部１３０への湯水の供給は、電動ポンプ１１０の吸込み口１２０とは別の吸込み口から供給してもよい。また、貯水部１３０に供給される湯水は、浴槽本体１０２内に溜められた湯水に限ることなく、別の給水源から供給された湯水でもよい。
【００５３】
また、貯水部１３０は、配管１３６を介して切替弁１１２と接続されるとともに、配管１３８を介して吐水部１６と接続されている。配管１３６は、例えば、貯水部１３０の下部に接続される。配管１３８は、例えば、配管１３６と対向して貯水部１３０の上部に接続される。配管１３６は、貯水部１３０から上方に向かって延び、吐水部１６の配管部２０ｂと接続される。
【００５４】
ノズル部１３２は、貯水部１３０と配管１３６との接続部に設けられる。ノズル部１３２は、切替弁１１２及び配管１３６を介して電動ポンプ１１０から供給された湯水を配管１３８内に向けて噴射する。これにより、電動ポンプ１１０から供給された湯水が吐水部１６に供給されるとともに、貯水部１３０内に貯水された湯水が、ジェットポンプ作用によって配管１３８内に引き込まれ、貯水部１３０内に貯水された湯水も吐水部１６に供給される。これにより、電動ポンプ１１０を比較的小型にした場合にも大流量の湯水を吐水部１６に供給することができる。例えば、電動ポンプ１１０の最大流量以上の流量の湯水を吐水部１６に供給することができる。
【００５５】
このように、浴槽１００では、電動ポンプ１１０を駆動し、切替弁１１２を吐水部１６側の経路に切り替えることによって、吐水部１６から湯水が吐水される。また、浴槽１００では、切替弁１１２によって吐水部１６側及び各噴射口１０８側の双方を電動ポンプ１１０と連通させることにより、吐水部１６からの湯水の吐水及び各噴射口１０８からの湯水の噴射を同時に行うことができる。
【００５６】
制御部１１６は、電動ポンプ１１０、切替弁１１２、及び操作部１１８と接続されている。操作部１１８は、例えば、浴槽本体１０２や浴室の壁面などに取り付けて使用される。操作部１１８は、スイッチやセンサなどを有し、入浴者などの操作に応じて、制御部１１６に種々の操作指示を入力可能である。操作部１１８は、いわゆるリモコンである。制御部１１６と操作部１１８との間の電気的な通信は、有線でもよいし、無線を介して行ってもよい。
【００５７】
制御部１１６は、操作部１１８から入力された操作指示に応じて、電動ポンプ１１０及び切替弁１１２の動作を制御する。制御部１１６は、各噴射口１０８からの湯水の噴射を操作部１１８から指示された場合、電動ポンプ１１０の駆動を開始し、切替弁１１２を各噴射口１０８側に切り替えることにより、各噴射口１０８から湯水を噴射させる。
【００５８】
制御部１１６は、吐水部１６からの湯水の吐水を操作部１１８から指示された場合、電動ポンプ１１０の駆動を開始し、切替弁１１２を吐水部１６側に切り替えることにより、吐水部１６から湯水を吐水させる。
【００５９】
また、制御部１１６は、吐水部１６及び各噴射口１０８からの同時吐水を操作部１１８から指示された場合、電動ポンプ１１０の駆動を開始し、吐水部１６側及び各噴射口１０８側の双方を電動ポンプ１１０と連通させるように切替弁１１２を切り替えることにより、吐水部１６から湯水を吐水させるとともに、各噴射口１０８から湯水を噴射させる。
【００６０】
そして、制御部１１６は、吐水部１６からの湯水の吐水の停止、又は各噴射口１０８からの湯水の噴射の停止を指示された場合に、電動ポンプ１１０の駆動を停止させる。
【００６１】
また、制御部１１６は、照明装置１０の光源部１２と接続されている。制御部１１６は、操作部１１８から入力された操作指示に応じて、光源部１２の点灯及び消灯を切り替える。
【００６２】
図７は、実施形態に係る浴槽用照明装置を模式的に表す平面図である。  
図７に表したように、光入射面１４ａの左右方向の中央部と光源部１２との間の前後方向の距離Ｄ１は、光入射面１４ａの左右方向の両側部と光源部１２との間の前後方向の距離Ｄ２、Ｄ３よりも長い。距離Ｄ１〜Ｄ３は、より詳しくは、光入射面１４ａと発光面ＬＳとの間の前後方向の距離である。光源部１２が複数の発光素子４２を並べて発光面ＬＳを形成している場合、距離Ｄ１〜Ｄ３は、例えば、光入射面１４ａと発光素子４２との間の前後方向の距離としてもよい。
【００６３】
光源である発光素子４２から照射された光は、上下左右に円錐状に広がる。従って、発光素子４２からの距離が遠いほど、単位面積あたりの入射する光の量が少なくなる。換言すれば、発光素子４２からの距離が遠くなるほど、照度が低くなる。従って、光入射面１４ａの左右方向の中央部に入射する光の量は、光入射面１４ａの左右方向の両側部に入射する光の量よりも少なくなる。
【００６４】
図７では、発光素子４２から照射された光の量を便宜的に色の濃淡で表している。すなわち、発光素子４２から照射された光の量の多い（照度の高い）部分を濃く、光の量の少ない（照度の低い）部分を薄く表している。光入射面１４ａの左右方向の中央部において入射する光の色は、光入射面１４ａの左右方向の両側部において入射する光の色よりも薄い。これは、光入射面１４ａの左右方向の中央部において入射する光の量が、光入射面１４ａの左右方向の両側部において入射する光の量よりも少ないことを表している。
【００６５】
一方で、光出射面１４ｂの左右方向の中央部と光源部１２との間の前後方向の距離は、
光出射面１４ｂの左右方向の両側部と光源部１２との間の前後方向の距離よりも短い。従って、光入射面１４ａを発光面ＬＳと平行な直線状とした場合には、光出射面１４ｂの左右方向の中央部から出射する光の量が、光出射面１４ｂの左右方向の両側部から出射する光の量よりも多くなってしまう。すなわち、入浴者などに、光出射面１４ｂの左右方向の中央部が、両側部よりも明るく視認されてしまう。
【００６６】
そこで、上記のように、距離Ｄ１を距離Ｄ２、Ｄ３よりも長くし、光入射面１４ａの左右方向の中央部に入射する光の量を少なくする。これにより、光出射面１４ｂの左右方向における照度のムラを抑制することができる。光出射面１４ｂが均一に光っているように入浴者などに視認させることができる。
【００６７】
光入射面１４ａは、光出射面１４ｂ側に向かって凹状に湾曲している。光入射面１４ａは、光源部１２との間の前後方向の距離を左右方向において連続的に変化させる凹曲面状である。これにより、上記のように、距離Ｄ１を距離Ｄ２、Ｄ３よりも長くすることができる。
【００６８】
また、導光板１４の左右方向の幅は、前方に向かって広がっている。光入射面１４ａの左右方向の幅Ｗ１は、光出射面１４ｂの左右方向の幅Ｗ２よりも狭い。光源部１２の左右方向の幅Ｗ３は、光出射面１４ｂの左右方向の幅Ｗ２よりも狭い。この例では、光源部１２の左右方向の幅Ｗ３が、光入射面１４ａの左右方向の幅Ｗ１と実質的に同じである。光源部１２の左右方向の幅Ｗ３は、光入射面１４ａの左右方向の幅Ｗ１よりも狭くてもよい。また、この例では、発光面ＬＳの左右方向の幅Ｗ４が、光入射面１４ａの左右方向の幅Ｗ１よりも狭い。なお、上記に限ることなく、例えば、光入射面１４ａの左右方向の幅Ｗ１は、光出射面１４ｂの左右方向の幅Ｗ２と実質的に同じでもよい。光源部１２の左右方向の幅Ｗ３は、光出射面１４ｂの左右方向の幅Ｗ２と実質的に同じでもよい。
【００６９】
以上、説明したように、本実施形態に係る照明装置１０では、光源部１２が、左右方向に延びた直線状である。これにより、例えば、浴槽本体１０２のサイズや形状などが異なる複数種類の浴槽１００に対して直線状の光源部１２を共通に用いることが可能となり、製造コストを抑えることができる。そして、光源部１２の前方に導光板１４を設け、導光板１４の光出射面１４ｂを凹状に湾曲させることにより、導光板１４の形状を変えるだけで複数種類の浴槽１００に対応することができ、複数種類の浴槽１００に対して光源部１２を共通に用いることができる。従って、浴槽１００の種類毎に光源部１２を製造する場合と比べて、照明装置１０の製造コストの増加を抑えることができる。
【００７０】
また、照明装置１０では、光入射面１４ａの左右方向の中央部と光源部１２との間の前後方向の距離Ｄ１が、光入射面１４ａの左右方向の両側部と光源部１２との間の前後方向の距離Ｄ２、Ｄ３よりも長いため、光入射面１４ａの左右方向の中央部に入射する光の量が、光入射面１４ａの左右方向の両側部に入射する光の量よりも少なくなる。これにより、光入射面１４ａの中央部と光源部１２との間の距離Ｄ１が、光入射面１４ａの両側部と光源部１２との間の距離Ｄ２、Ｄ３と同じである場合と比べて、光源部１２からの距離が短い光出射面１４ｂの左右方向の中央部から出射される光の量を少なくすることができる。これにより、光出射面１４ｂの左右方向における照度のムラを抑制し、横長状の照明光の左右方向における照度の均一性を向上させることができる。従って、浴槽１００の内壁面１０４（背もたれ面１０６）が凹状に湾曲している場合にも、製造コストを抑えつつ、横長状の照明光の左右方向における照度の均一性を向上させることができる。
【００７１】
また、照明装置１０では、光入射面１４ａが、光出射面１４ｂ側に向かって凹状に湾曲している。これにより、光入射面１４ａから入射する光の量が左右方向において連続的に変化するとともに、湾曲した光入射面１４ａにおける光の屈折により、両側部に光をより供給し易くすることができる。従って、光出射面１４ｂの左右方向における照度のムラをより抑制することができる。
【００７２】
また、照明装置１０では、光入射面１４ａの左右方向の幅Ｗ１が、光出射面１４ｂの左右方向の幅Ｗ２よりも狭く、光源部１２の左右方向の幅Ｗ３が、光出射面１４ｂの左右方向の幅Ｗ３よりも狭い。これにより、光源部１２を小型にすることができ、浴槽１００の後方側のスペースが狭い場合などにも、適切に光源部１２を配置することができる。また、光出射面１４ｂの左右方向の幅Ｗ２を調整することで、より多くの種類の浴槽１００に対して直線状の光源部１２を共通に用いることができる。このように、光源部１２をより小型にできるとともに、光源部１２を適用可能な浴槽の種類を増やすことができ、製造コストをより抑えることができる。
【００７３】
また、照明装置１０では、導光板１４が、吐水部１６の上方に配置されている。これにより、背もたれ面１０６に背中を当接させた入浴者の首や肩に湯水を吐水することができ、入浴時のリラクゼーション効果をより高めることができる。また、吐水部の上方において光を出射することで、空間演出効果をより向上させることができる。
【００７４】
図８は、実施形態に係る浴槽用照明装置の変形例を模式的に表す平面図である。  
なお、上記実施形態と機能・構成上実質的に同じものについては、同符号を付し、詳細な説明は省略する。  
図８に表したように、照明装置１０ａでは、導光板１４の光入射面１４ａが、凹部１４ｃを有する。凹部１４ｃは、左右方向の中央部に配置され、光出射面１４ｂ側に向かって凹んでいる。
【００７５】
このように、凹部１４ｃを光入射面１４ａに設けた場合にも、光入射面１４ａの左右方向の中央部と光源部１２との間の前後方向の距離Ｄ１を、光入射面１４ａの左右方向の両側部と光源部１２との間の前後方向の距離Ｄ２、Ｄ３よりも長くすることができる。照明装置１０ａにおいて、距離Ｄ１は、凹部１４ｃの設けられた部分における距離であり、距離Ｄ２、Ｄ３は、凹部１４ｃの設けられていない部分における距離である。
【００７６】
この照明装置１０ａでは、光入射面１４ａの左右方向の中央部に入射する光の量を簡単な構成で少なくすることができ、照明装置１０ａの製造コストをより抑えることができる。
【００７７】
図９は、実施形態に係る浴槽用照明装置の変形例を模式的に表す平面図である。  
図９に表したように、照明装置１０ｂでは、導光板１４が、複数の開口１４ｄを有する。各開口１４ｄは、例えば、上下方向に延び、導光板１４を上下方向に貫通する。各開口１４ｄは、必ずしも導光板１４を貫通しなくてもよい。
【００７８】
導光板１４の左右方向の中央部に設けられた開口１４ｄの数は、導光板１４の左右方向の両側部に設けれた開口１４ｄの数よりも多い。換言すれば、導光板１４の左右方向の中央部に設けられた開口１４ｄの密度は、導光板１４の左右方向の両側部に設けれた開口１４ｄの密度よりも高い。これにより、例えば、光出射面１４ｂの左右方向の中央部から出射する光の量をより少なくすることができる。例えば、光出射面１４ｂの左右方向における照度のムラをより抑制することができる。
【００７９】
図９では、円形状の開口１４ｄを表している。開口１４ｄの形状は、円形に限ることなく、任意の形状でよい。例えば、導光板１４の左右方向の中央部に設けられた開口１４ｄの面積を、導光板１４の左右方向の両側部に設けれた開口１４ｄの面積よりも大きくしてもよい。この場合にも、上記と同様に、光出射面１４ｂの左右方向の中央部から出射する光の量をより少なくすることができる。開口１４ｄの面積は、１つの開口１４ｄの面積でもよいし、複数の開口１４ｄの面積の総和でもよい。開口１４ｄは、導光板１４の左右方向の中央部にのみ設けてもよい。
【００８０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、照明装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８１】
１０、１０ａ、１０ｂ 照明装置、  １２ 光源部、  １４ 導光板、  １４ａ 光入射面、  １４ｂ 光出射面、  １６ 吐水部、  １８ カバー、  ２０ 下側ケース、  ２２ 上側ケース、  ４０ 基板、  ４２ 発光素子、  ４４ 放熱板、  ４６ 収納ケース、  １００ 浴槽、  １０２ 浴槽本体、  １０４ 内壁面、  １０６ 背もたれ面、  １０８ 噴射口、  １１０ 電動ポンプ、  １１２ 切替弁、  １１４ ジェットポンプユニット、  １１６ 制御部、  １１８ 操作部、  １２０ 吸込み口、  １２２、１２４、１２６、１３４、１３６、１３８ 配管、  １３０ 貯水部、  １３２ ノズル部
【図１】
2018163790.tif 000003
【図２】
2018163790.tif 000004
【図３】
2018163790.tif 000005
【図４】
2018163790.tif 000006
【図５】
2018163790.tif 000007
【図６】
2018163790.tif 000008
【図７】
2018163790.tif 000009
【図８】
2018163790.tif 000010
【図９】
2018163790.tif 000011